(57)【要約】【課題】別途のプローブ接続用パッドなしに、出力チャネルの個数より少ない個数のプローブを接続して多数の出力チャネルの出力信号をモニタリングすることができるマルチチャネル半導体装置及びそれを具備するディスプレイ装置を提供する。【解決手段】少なくとも１つの出力バッファを具備する複数のバッファ・グループ；少なくとも１つの出力パッドを具備する複数のパッド・グループ、及び複数のバッファ・グループ；複数のパッド・グループとの連結を制御するチャネル・スイッチング部；を含むマルチチャネル半導体装置であり、該複数のパッド・グループのうち１つのパッド・グループは、第１動作モードで、対応するバッファ・グループの出力信号を出力し、第２動作モードで、複数のバッファ・グループの出力信号を順次に出力する。【選択図】図１
2012112960.tif 000002
【特許請求の範囲】
【請求項１】
少なくとも１つの出力バッファを具備する複数のバッファ・グループと、
少なくとも１つの出力パッドを具備する複数のパッド・グループと、
前記複数のバッファ・グループと、前記複数のパッド・グループとの連結を制御するチャネル・スイッチング部と、を含み、
前記複数のパッド・グループのうち１つのパッド・グループは、
第１動作モードで、対応するバッファ・グループの出力信号を出力し、第２動作モードで、前記複数のバッファ・グループの出力信号を順次に出力することを特徴とするマルチチャネル半導体装置。
【請求項２】
前記チャネル・スイッチング部は、
対応するバッファ・グループの少なくとも１つの出力端子と、対応するパッド・グループの少なくとも１つの出力パッドとの連結を制御する複数の出力スイッチング部と、
対応するパッド・グループの少なくとも１つの出力パッドと、少なくとも１つの共通ノードとの連結を制御する複数のシフト・スイッチング部と、を含むことを特徴とする請求項１に記載のマルチチャネル半導体装置。
【請求項３】
前記複数のシフト・スイッチング部のうち１つのシフト・スイッチング部は、第２動作モードでターンオンされれば、前記複数の共通ノードの信号を、対応するパッド・グループの複数の出力パッドに伝達し、
前記複数のシフト・スイッチング部のうち残りのシフト・スイッチング部は、それぞれ前記第２動作モードでターンオンされれば、対応するバッファ・グループの複数の出力信号を、前記複数の共通ノードに伝達し、
前記第２動作モードで、前記複数の出力スイッチング部のうち１つの出力スイッチング部及び前記残りのシフト・スイッチング部は、ターンオンされるタイミングが異なり、
前記第２動作モードで、前記１つの出力スイッチング部及び前記残りのシフト・スイッチング部は、順次に一定時間の間ターンオンされることを特徴とする請求項２に記載のマルチチャネル半導体装置。
【請求項４】
前記１つのシフト・スイッチング部は、
少なくとも前記残りのシフト・スイッチングが順次にターンオンされる区間の間、ターンオン状態であることを特徴とする請求項３に記載のマルチチャネル半導体装置。
【請求項５】
前記複数の出力スイッチング部の各々は、一端が対応する出力バッファに連結され、他端が対応する出力パッドに連結される複数のスイッチを具備し、
前記複数のシフト・スイッチング部の各々は、一端が対応する出力パッドに連結され、他端が対応する共通ノードに連結される複数のスイッチを具備し、
前記１つの出力スイッチング部のスイッチは、第１出力イネーブル信号に応答してオン−オフされ、
前記複数の出力スイッチング部のうち残りの出力スイッチング部のスイッチは、第２出力イネーブル信号に応答してオン−オフされ、
前記１つのシフト・スイッチング部のスイッチは、シフト・イネーブル信号に応答してオン−オフされ、
前記残りのシフト・スイッチング部のスイッチは、それぞれ対応するシフトパルスに応答してオン−オフされることを特徴と請求項４に記載のするマルチチャネル半導体装置。
【請求項６】
前記シフト・イネーブル信号、シフト・スタートパルス及び前記第２出力イネーブル信号に応答し、前記第１出力イネーブル信号と、第１シフトパルスと、第２シフトパルスないし第Ｍシフトパルスとを生成する制御部をさらに含み、
前記制御部は、
前記シフト・イネーブル信号及び前記シフト・スタートパルスに応答して複数のシフトパルスを生成するシフト・レジスタと、
前記第２出力イネーブル信号と、前記複数のシフトパルスのうち１つのシフトパルスとを論理積し、前記第１出力イネーブル信号を生成するＡＮＤゲートを含むことを特徴とする請求項５に記載のマルチチャネル半導体装置。
【請求項７】
ディスプレイパネルと、
複数の出力チャネルを介して、前記ディスプレイパネルにスキャン信号を伝送する少なくとも１つのスキャン・ドライバと、
複数の出力チャネルを介して、前記ディスプレイパネルに映像信号を伝送する少なくとも１つのデータ・ドライバと、を含み、
前記スキャン・ドライバ及び前記データ・ドライバのうち少なくとも一つは、
少なくとも１つの出力バッファを具備する複数のバッファ・グループと、
少なくとも１つの出力パッドを具備する複数のパッド・グループと、
前記複数のバッファ・グループと前記複数のパッド・グループとの連結を制御するチャネル・スイッチング部と、を含み、
前記複数のパッド・グループのうち１つのパッド・グループは、
第１動作モードで、対応するバッファ・グループの出力信号を出力し、第２動作モードで、前記複数のバッファ・グループの出力信号を順次に出力することを特徴とするディスプレイ装置。
【請求項８】
複数の出力チャネルを具備するマルチチャネル半導体装置において、
前記複数の出力チャネルの各々は、
出力信号を生成する出力バッファと、
外部とのインターフェースのための出力パッドと、
前記出力バッファと前記出力パッドとの連結を制御する第１スイッチと、
前記出力パッドと、Ｎ個の共通ノードのうち対応する共通ノードとの連結を制御する第２スイッチと、を含み、
前記複数の出力チャネルは、
少なくとも１つの出力チャネルを具備する複数のグループに区分され、前記複数のグループのうち１つのグループの出力パッドは、テスト・モードで、前記複数のグループの出力信号を順次に出力することを特徴とするマルチチャネル半導体装置。
【請求項９】
前記テスト・モードでの動作時、前記複数のグループのうち残りのグループの第２スイッチは、それぞれ順次に活性化されるシフトパルスに応答し、順次にターンオンされることを特徴とする請求項８に記載のマルチチャネル半導体装置。
【請求項１０】
前記１つのグループの前記第２スイッチは、
少なくとも前記残りのグループの第２スイッチが順次にターンオンされる区間の間、ターンオン状態であることを特徴とする請求項９に記載のマルチチャネル半導体装置。
【発明の詳細な説明】
【技術分野】
【０００１】
本発明は、多数の出力チャネルを具備するマルチチャネル半導体装置に係り、具体的には、前記出力チャネルの数よりも少ない個数のプローブを利用し、前記出力チャネル全体の出力信号をモニタリングすることができるマルチチャネル半導体装置及びそれを具備するディスプレイ装置に関する。
【背景技術】
【０００２】
ＤＤＩ（display driver ＩＣ（integrated circuit））のように、ディスプレイパネルに映像信号を供給する半導体装置は、多数の出力チャネル（例えば、７２０ＣＨ）を有する。ＤＤＩのように、多数の出力チャネルを具備する半導体装置が正常に動作しているか否かをテストする過程における時間と努力との低減は、製造コストを下げることができ、製品競争力と直ちに結びつくということは、周知の事実である。一般的な半導体装置は、テスト効率を高めるために、別途のテスト用出力パッドを具備する。前記テスト用出力パッドを介して出力される信号をモニタリングし、正常動作するかをチェックする。前記テスト用出力パッドの数が増加するほど、同時にモニタリング可能なチャネル数が増加する長所がある一方、追加されるパッドの数に該当する面積がさらに要求され、結局半導体装置の小型化に障害となる。多数の出力チャネルを具備する半導体装置のテスト効率を高めつつ、前記半導体装置のサイズを縮めることができる方策が要請される。
【発明の概要】
【発明が解決しようとする課題】
【０００３】
本発明は、多数の出力チャネル以外の別途のテスト用パッドを具備せずとも、前記出力チャネルの数よりも少ない個数のプローブを利用し、前記出力チャネル全体をモニタリングすることができるマルチチャネル半導体装置及びそれを具備するディスプレイ装置を提供することを目的とする。
【課題を解決するための手段】
【０００４】
前記目的を達成するために、本発明の一実施形態によるマルチチャネル半導体装置は、少なくとも１つの出力バッファを具備する複数のバッファ・グループ、少なくとも１つの出力パッドを具備する複数のパッド・グループ、及び前記複数のバッファ・グループと前記複数のパッド・グループとの連結を制御するチャネル・スイッチング部を含み、前記複数のパッド・グループのうち１つのパッド・グループは、第１動作モードで、対応するバッファ・グループの出力信号を出力し、第２動作モードで、前記複数のバッファ・グループの出力信号を順次に出力することを特徴とする。
【０００５】
前記チャネル・スイッチング部は、対応するバッファ・グループの複数の出力端子と、対応するパッド・グループの複数の出力パッドとの連結を制御する複数の出力スイッチング部、及び対応するパッド・グループの複数の出力パッドと、複数の共通ノードとの連結を制御する複数のシフト・スイッチング部を含んでもよい。
【０００６】
前記複数のシフト・スイッチング部のうち１つのシフト・スイッチング部は、第２動作モードでターンオンされれば、前記複数の共通ノードの信号を、対応するパッド・グループの複数の出力パッドに伝達し、前記複数のシフト・スイッチング部のうち残りのシフト・スイッチング部は、それぞれ前記第２動作モードでターンオンされれば、対応するバッファ・グループの複数の出力信号を、前記複数の共通ノードに伝達してもよい。
【０００７】
前記第２動作モードで、前記複数の出力スイッチング部のうち１つの出力スイッチング部及び前記残りのシフト・スイッチング部は、ターンオンされるタイミングが異なってもよい。
【０００８】
前記第２動作モードで、前記１つの出力スイッチング部及び前記残りのシフト・スイッチング部は、順次に一定時間の間ターンオンされてもよい。
【０００９】
前記１つのシフト・スイッチング部は、少なくとも前記残りのシフト・スイッチングが順次にターンオンされる区間の間、ターンオン状態であってもよい。
【００１０】
前記各出力スイッチング部は、一端が対応する出力バッファに連結され、他端が対応する出力パッドに連結される複数のスイッチを具備し、前記各シフト・スイッチング部は、一端が対応する出力パッドに連結され、他端が対応する共通ノードに連結する複数のスイッチを具備することができる。
【００１１】
前記１つの出力スイッチング部のスイッチは、前記第１出力イネーブル信号に応答してオン−オフされ、前記残りの出力スイッチング部のスイッチは、第２出力イネーブル信号に応答してオン−オフされ、前記１つのシフト・スイッチング部のスイッチは、シフト・イネーブル信号に応答してオン−オフされ、前記残りのシフト・スイッチング部のスイッチは、それぞれ対応するシフトパルスに応答してオン−オフされてもよい。
【００１２】
前記シフト・イネーブル信号、シフト・スタートパルス及び前記第２出力イネーブル信号に応答し、前記第１出力イネーブル信号と、第１シフトパルスと、前記第２シフトパルスないし第Ｍシフトパルスとを生成する制御部をさらに含んでもよい。
【００１３】
前記シフト・イネーブル信号及び前記シフト・スタートパルスに応答して複数のシフトパルスを生成するシフト・レジスタ、及び前記第２出力イネーブル信号と、前記複数のシフトパルスのうち１つのシフトパルスとを論理積し、前記第１出力イネーブル信号を生成するＡＮＤゲートを含んでもよい。
【００１４】
前記第２動作モードで、まずハイレベルの前記第２出力イネーブル信号が印加され、その次にハイレベルの前記シフト・イネーブル信号が印加され、その次に一定時間の間ハイレベルを有する前記シフト・スタートパルスが印加され、その次に一定時間の間ハイレベルを有する前記複数のシフトパルスが順次に印加されてもよい。
【００１５】
前記目的を達成するために、本発明の他の実施形態のマルチチャネル半導体装置は、複数の出力チャネルを具備し、前記各出力チャネルは、出力信号を生成する出力バッファ、外部とのインターフェースのための出力パッド、前記出力バッファと前記出力パッドとの連結を制御する第１スイッチ、及び前記出力パッドと、Ｎ個の共通ノードのうち対応する共通ノードとの連結を制御する第２スイッチを含み、前記複数の出力チャネルは、少なくとも１つの出力チャネルを具備する複数のグループに区分され、前記複数のグループのうち１つのグループの出力パッドは、テスト・モードで、前記複数のグループの出力信号を順次に出力することを特徴とする。
【００１６】
前記テスト・モードでの動作時、前記複数のグループのうち残りのグループの第２スイッチは、それぞれ順次に活性化されるシフトパルスに応答し、順次にターンオンされてもよい。
【００１７】
前記１つのグループの前記第２スイッチは、少なくとも前記残りのグループの第２スイッチが順次にターンオンされる区間の間、ターンオン状態であってもよい。
【００１８】
前記目的を達成するために、本発明の一実施形態によるディスプレイ装置は、ディスプレイパネル、多数の出力チャネルを介して、前記ディスプレイパネルにスキャン信号を伝送する少なくとも１つのスキャン・ドライバ、及び多数の出力チャネルを介して、前記ディスプレイパネルに映像信号を伝送する少なくとも１つのデータ・ドライバを含み、前記スキャン・ドライバ及び前記データ・ドライバのうち少なくとも一つは、少なくとも１つの出力バッファを具備する複数のバッファ・グループ、少なくとも１つの出力パッドを具備する複数のパッド・グループ、及び前記複数のバッファ・グループと前記複数のパッド・グループとの連結を制御するチャネル・スイッチング部を含み、前記複数のパッド・グループのうち１つのパッド・グループは、第１動作モードで、対応するバッファ・グループの出力信号を出力し、第２動作モードで、前記複数のバッファ・グループの出力信号を順次に出力することを特徴とする。
【００１９】
前記チャネル・スイッチング部は、対応するバッファ・グループの出力端子と、対応するパッド・グループの出力パッドとの連結を制御する複数の出力スイッチング部、及び対応するパッド・グループの出力パッドと、複数の共通ノードとの連結を制御するシフト・スイッチング部を含んでもよい。
【００２０】
前記複数のシフト・スイッチング部のうち１つのシフト・スイッチング部は、第２動作モードでターンオンされれば、前記複数の共通ノードの信号を、対応するパッド・グループの複数の出力パッドに伝達し、前記複数のシフト・スイッチング部のうち残りのシフト・スイッチング部は、それぞれ前記第２動作モードでターンオンされれば、対応するバッファ・グループの出力信号を、前記複数の共通ノードに伝達してもよい。
【００２１】
前記第２動作モードで、前記複数の出力スイッチング部のうち１つの出力スイッチング部及び前記残りのシフト・スイッチング部は、ターンオンされるタイミングが異なってもよい。
【００２２】
前記第２動作モードで、前記１つの出力スイッチング部及び前記残りのシフト・スイッチング部は、順次に一定時間の間ターンオンされてもよい。
【００２３】
少なくとも前記残りのシフト・スイッチングが順次にターンオンされる区間の間、ターンオン状態であってもよい。
【発明の効果】
【００２４】
本発明によれば、多数の出力チャネルを具備するマルチチャネル半導体装置は、別途のテスト用出力パッドを具備しないので、前記マルチチャネル半導体装置のサイズを縮めることができる。また、前記マルチチャネル半導体装置をテストする場合、前記半導体装置の出力チャネル数よりも少ない個数のプローブを利用するので、プローブの接続が容易であり、１回の接続でも、全チャネルの出力信号をモニタリングすることができ、前記半導体装置のテスト時間を画期的に短縮することができる。
【図面の簡単な説明】
【００２５】
【図１】本発明の一実施形態による多数の出力チャネルを具備するマルチチャネル半導体装置を示すブロック図である。
【図２】図１のチャネル・スイッチング部の一実施形態を示すブロック図である。
【図３】図１のチャネル・スイッチング部を制御するための制御信号を生成する制御部を示すブロック図である。
【図４】図１の半導体装置において、Ｎ＝６、Ｍ＝３である場合の実施形態を示すブロック図である。
【図５】図４の実施形態の動作を示すタイミング図である。
【図６】図５のＴＡ区間での図４の実施形態の動作状態を示す図面である。
【図７】図５のＴＢ区間での図４の実施形態の動作状態を示す図面である。
【図８】図５のＴＣ区間での図４の実施形態の動作状態を示す図面である。
【図９】図１の半導体装置において、Ｎ＝６、Ｍ＝３である場合の他の実施形態を示すブロック図である。
【図１０】図１の半導体装置において、Ｎ＝６、Ｍ＝３である場合のさらに他の実施形態を示すブロック図である。
【図１１】本発明の一実施形態によるマルチチャネル半導体装置を示すブロック図である。
【図１２】本発明の一実施形態によるディスプレイパネル駆動用半導体装置を示すブロック図である。
【図１３】本発明の一実施形態によるディスプレイ装置を示すブロック図である。
【発明を実施するための形態】
【００２６】
本発明、本発明の動作上の利点及び本発明の実施によって達成される目的を十分に理解するためには、本発明の望ましい実施形態を例示する添付図面、及び図面に記載された内容を参照するのである。
【００２７】
本発明の実施形態は、当該技術分野で当業者に、本発明についてさらに完全に説明するために提供されるものであり、以下の実施形態は、さまざまな他の形態に変形され、本発明の範囲が、以下の実施形態に限定されるものではない。むしろ、それら実施形態は、本開示をさらに忠実であって完全なものにし、本発明が属する技術分野の当業者に、本発明の思想を完全に伝達するために提供されるものである。
【００２８】
本明細書で使われた用語は、特定実施形態について説明するために使われ、本発明を制限するためのものではない。本明細書で使われているように、単数形態は、文脈上他の場合を明確に指すものではないならば、複数の形態を含んでもよい。また、本明細書で使われる場合「含む（comprise）」及び／または「含むところの（comprising）」は、言及した形状、数字、段階、動作、部材、要素及び／またはそれらグループの存在を特定するものであり、一つ以上の他の形状、数字、動作、部材、要素及び／またはグループの存在または付加を排除するものではない。本明細書で使われているように、用語「及び／または」は、当該列挙された項目のうちいずれか一つ及び一つ以上のあらゆる組み合わせを含む。
【００２９】
本明細書で、第１、第２などの用語が、多様な部材、領域、層、部位及び／または構成要素について説明するために使われるが、それら部材、部品、領域、層、部位及び／または構成要素は、それら用語によって限定されるものではないことは自明である。それら用語は、特定順序や上下または優劣を意味するものではなく、１つの部材、領域、部位または構成要素を、他の部材、領域、部位または構成要素と区別するためのみに使われる。従って、後述する第１部材、第１領域、第１部位または第１構成要素は、本発明の要旨から外れずに、第２部材、第２領域、第２部位または第２構成要素と称することも可能である。例えば、本発明の権利範囲から逸脱せずに、第１構成要素は、第２構成要素と命名され、同様に、第２構成要素も第１構成要素と命名することができる。
【００３０】
ある構成要素が他の構成要素に「連結されて」いる、または「接続されて」いると述べられるときには、その他の構成要素に直接に連結されていたり、または接続されていたりしてもよいが、中間に、他の構成要素が存在しうるということを理解せねばならない。一方、どんな構成要素が他の構成要素に「直接連結されて」いる、または「直接接続されて」いると述べられるときには、中間に、他の構成要素が存在するものではないということを理解しなければならない。構成要素間の関係について説明する他の表現、すなわち、「〜間に」及び「すぐ〜間に」、または「〜に隣接する」及び「〜に直接隣接する」なども、同様に解釈されるものである。
【００３１】
本出願で使用した用語は、単に特定の実施形態について説明するために使われたものであり、本発明を限定しようとする意図ではない。単数の表現は、文脈上明白に取り立てて意味しない限り、複数の表現を含む。本出願で、「含む」または「有する」などの用語は、説示された特徴、数字、段階、動作、構成要素、部分品またはそれらを組み合わせたものが存在するということを指定しようとするものであり、一つまたはその以上の他の特徴や数字、段階、動作、構成要素、部分品またはそれらを組み合わせたものの存在または付加の可能性をあらかじめ排除するものではないということを理解せねばならない。
【００３２】
一方、ある実施形態が異なった具現が可能な場合、特定ブロック内に明記された機能または動作が、フローチャートに明記された順序と異なって起こることもある。例えば、連続する２つのブロックが、実際には実質的に同時に遂行されれば、関連した機能または動作によっては、前記ブロックが逆に遂行されることもある。
【００３３】
以下、本発明の実施形態は、本発明の理想的な実施形態を概略的に図示する図面を参照しつつ説明する。図面において、例えば、製造技術及び／または公差によって、図示された形状の変形が予想されもする。従って、本発明の実施形態は、本明細書に図示された領域の特定形状に制限されるものであると解釈されることがあってはならず、例えば、製造上もたらされる形状の変化を含むものである。
【００３４】
以下、添付された図面を参照しつつ、本発明の実施形態について説明することによって、本発明について詳細に説明する。
【００３５】
図１は、本発明の一実施形態による多数の出力チャネルを具備するマルチチャネル半導体装置１００を示すブロック図である。
【００３６】
図１を参照すれば、本発明の一実施形態によるマルチチャネル半導体装置１００は、複数のパッド・グループ１１０＿１ないし１１０＿Ｍ、複数のバッファ・グループ１２０＿１ないし１２０＿Ｍ、及びチャネル・スイッチング部１３０を具備することができる。前記パッド・グループ１１０＿１ないし１１０＿Ｍ、及び前記バッファ・グループ１２０＿１ないし１２０＿Ｍの個数は、Ｍ（Ｍは、２以上の自然数）であり、同一であってもよい。前記複数のパッド・グループ１１０＿１ないし１１０＿Ｍそれぞれは、Ｎ（Ｎは、自然数）個の出力パッドを具備することができる。その結果、前記マルチチャネル半導体装置１００は、Ｎ×Ｍ個の出力信号を出力することができる。前記マルチチャネル半導体装置１００は、複数の出力チャネルＹ１１ないしＹＭＮを介して、ディスプレイパネルに映像信号を供給するデータ・ドライバあるいはソース・ドライバであってもよい。前記複数のパッド・グループ１１０＿１ないし１１０＿Ｍは、外部とのインターフェースのために使われてもよい。前記複数のバッファ・グループ１２０＿１ないし１２０＿Ｍそれぞれは、Ｎ個の出力バッファを具備することができる。前記各バッファ・グループ１２０＿１ないし１２０＿Ｍの出力バッファは、入力信号をバッファリングして出力することができる。
【００３７】
前記チャネル・スイッチング部１３０は、シフト・イネーブル信号、複数のシフトパルスＳＰ＿２ないしＳＰ＿Ｍ、並びに第１出力イネーブル信号ＯＥ１及び第２出力イネーブル信号ＯＥ２に応答し、前記複数のバッファ・グループ１２０＿１ないし１２０＿Ｍの出力バッファと、前記複数のパッド・グループ１１０＿１ないし１１０＿Ｍの出力パッドとの連結を制御することができる。前記チャネル・スイッチング部１３０は、前記複数のバッファ・グループ１２０＿１ないし１２０＿Ｍの出力信号Ｓ１１ないしＳＭＮを入力され、前記複数のパッド・グループ１１０＿１ないし１１０＿Ｍに、複数の信号Ｙ１１ないしＹＭＮを出力することができる。前記チャネル・スイッチング部１３０の制御によって、複数のバッファ・グループ１２０＿１ないし１２０＿Ｍで出力された信号Ｓ１１ないしＳＭＮが、対応するパッド・グループの出力パッドに伝えられてもよい。
【００３８】
前記チャネル・スイッチング部１３０は、少なくとも２種の方式で、前記Ｍ個のバッファ・グループ１２０＿１ないし１２０＿Ｍの出力バッファと、前記Ｍ個のパッド・グループ１１０＿１ないし１１０＿Ｍの出力パッドとの連結を制御することができる。まず、第１動作モードでは、前記チャネル・スイッチング部１３０は、前記第１バッファ・グループ１２０＿１ないし第Ｍバッファ・グループ１２０＿Ｍを、それぞれ前記第１パット・グループ１１０＿１ないし第Ｍパッド・グループ１１０＿Ｍと対応させることができる。例えば、前記チャネル・スイッチング部の制御によって、第１バッファ・グループ１２０＿１が第１パッド・グループ１１０＿１に対応し、第２バッファ・グループ１２０＿２が第２パッド・グループ１１０＿２に対応し、第Ｍバッファ・グループ１２０＿Ｍが第Ｍパッド・グループ１１０＿Ｍに対応することができる。従って、前記チャネル・スイッチング部１３０は、前記第１バッファ・グループ１２０＿１のＮ個の出力信号を、前記第１パッド・グループ１１０＿１のＮ個の出力パッドに伝達することができる。結果として、前記半導体装置１００は、前記第１動作モードで、Ｎ×Ｍ個の出力パッドを介して、Ｎ×Ｍ個の信号Ｓ１１ないしＳＭＮを出力することができる。前記第１動作モードは、出力チャネルを介して、負荷に正常な出力信号を供給するノーマル出力モードであってもよい。
【００３９】
一方、前記チャネル・スイッチング部１３０は、第２動作モードでは、前記複数のパッド・グループ１１０＿１ないし１１０＿Ｍのうち１つのパッド・グループを、前記複数のバッファ・グループ１２０＿１ないし１２０＿Ｍと対応させることができる。例えば、前記チャネル・スイッチング部１３０は、第１パッド・グループ１１０＿１と、前記Ｍ個のバッファ・グループ１２０＿１ないし１２０＿Ｍとを対応させることができる。この場合、前記チャネル・スイッチング部１３０は、第１バッファ・グループ１２０＿１ないし第Ｍバッファ・グループ１２０＿ＭそれぞれのＮ個の出力信号を、前記第１パッド・グループ１１０＿１のＮ個の出力パッドに伝達することができる。結果として、Ｎ×Ｍ個の出力バッファで出力される信号Ｓ１１ないしＳＭＮが、前記第１パッド・グループ１１０＿１のＮ個の出力パッドに伝えられてもよい。すなわち、前記第１バッファ・グループ１２０＿１ないし第Ｍバッファ・グループ１２０＿Ｍの出力信号Ｓ１１ないしＳＭＮは、同じパッド・グループ、すなわち、前記第１パッド・グループ１１０＿１に伝えられてもよい。このために、チャネル・スイッチング部１３０は、前記第１バッファ・グループ１２０＿１ないし第Ｍバッファ・グループ１２０＿Ｍの出力端子Ｓ１１ないしＳＭＮを、順次に前記第１パッド・グループ１１０＿１の出力パッドＹ１１ないしＹ１Ｎと連結することができる。前記第２動作モードは、出力チャネルで出力される信号をモニタリングするためのテスト・モードであってもよい。
【００４０】
以上で述べたように、Ｎ×Ｍ個の出力信号をモニタリングするために、Ｎ×Ｍ個の出力パッド上にＮ×Ｍ個のプローブを接続する、またはＮ個のプローブのみを接続するための別途のテスト用パッドＮ個をさらに具備する従来の半導体装置とは異なり、本発明の一実施形態によるマルチチャネル半導体装置１００は、別途のテスト用パッドを具備せずにも、Ｎ個のプローブのみを使用し、Ｎ×Ｍ個の出力信号をモニタリングすることができる。
【００４１】
図２は、図１のチャネル・スイッチング部１３０の一実施形態を示すブロック図である。図１及び図２を参照すれば、前記チャネル・スイッチング部１３０は、複数の出力スイッチング部１３４＿１ないし１３４＿Ｍ、及び複数のシフト・スイッチング部１３２＿１ないし１３２＿Ｍを具備することができる。前記複数の出力スイッチング部１３４＿１ないし１３４＿Ｍのうち１つの出力スイッチング部１３４＿１は、第１出力イネーブル信号ＯＥ１に応答して動作し、残りの出力スイッチング部１３４＿２ないし１３４＿Ｍは、第２出力イネーブル信号ＯＥ２に応答して動作しうる。前記複数の出力スイッチング部１３４＿１ないし１３４＿Ｍそれぞれは、対応するバッファ・グループの出力端子Ｎ個と、対応するパッド・グループの出力パッドＮ個との連結を制御することができる。
【００４２】
前記複数のシフト・スイッチング部１３２＿１ないし１３２＿Ｍのうち第１シフト・スイッチング部１３２＿１は、シフト・イネーブル信号ＳＨ＿ＥＮに応答して動作しうる。前記複数のシフト・スイッチング部１３２＿１ないし１３２＿Ｍのうち第２シフト・スイッチング部１２０＿２ないし第Ｍシフト・スイッチング部１２０＿Ｍは、それぞれ第２シフトパルスＳＰ＿２ないし第ＭシフトパルスＳＰ＿Ｍに応答して動作しうる。前記シフト・イネーブル信号ＳＨ＿ＥＮは、シフト・レジスタ（図示せず）のシフト動作を活性化させるイネーブル信号であって、前記第２シフトパルスＳＰ＿２ないし第ＭシフトパルスＳＰ＿Ｍは、前記シフト・レジスタ（図示せず）で順次に出力されるパルスであってもよい。前記複数のシフト・スイッチング部１３２＿１ないし１３２＿Ｍは、対応するバッファ・グループのＮ個の出力端子と、Ｎ個の共通ノードＮＤ＿１ないしＮＤ＿Ｎとの連結を制御することができる。具体的には、第１シフト・スイッチング部１３２＿１は、ターンオンされれば、前記Ｎ個の共通ノードＮＤ＿１ないしＮＤ＿Ｎの信号を、前記第１パッド・グループ１１０＿１のＮ個の出力パッドＹ１１ないしＹ１Ｎに伝達することができる。第２シフト・スイッチング部１３２＿２ないし第Ｍシフト・スイッチング部１３２＿Ｍは、それぞれ前記第２バッファ・グループ１３４＿２ないし第Ｍバッファ・グループ１３４＿Ｍの出力信号Ｓ２１ないしＳＭＮを、前記Ｎ個の共通ノードＮＤ＿１ないしＮＤ＿Ｎに伝達することができる。従って、第１シフト・スイッチング部１３２＿１ないし第Ｍシフト・スイッチング部１３２＿Ｍは、前記第２バッファ・グループ１２０＿２ないし第Ｍバッファ・グループ１２０＿Ｍの出力信号Ｓ２１ないしＳＭＮが、前記共通ノードＮＤ＿１ないしＮＤ＿Ｎを経由し、前記第１パッド・グループ１１０＿１の出力パッドＹ１１ないしＹ１Ｎに伝えられる経路を形成することができる。
【００４３】
図１の第１出力スイッチング部１３４＿１、及び第２シフト・スイッチング部１３２＿２ないし第Ｍシフト・スイッチング部１３２＿Ｍは、それぞれターンオンされれば、第１バッファ・グループ１２０＿１ないし第Ｍバッファ・グループ１２０＿Ｍの出力信号Ｓ１１ないしＳＭＮを、共通して前記第１パッド・グループ１１０＿１，Ｙ１１ないしＹ１Ｎに伝達する。この場合、信号間衝突を防止するために、第１出力スイッチング部１３４＿１、及び第２シフト・スイッチング部１３２＿２ないし第Ｍシフト・スイッチング部１３２＿Ｍのターンオン時点を異ならせることができる。従って、第１出力スイッチング部１３４＿１、及び第２シフト・スイッチング部１３２＿２ないし第Ｍシフト・スイッチング部１３２＿Ｍは、順次にターンオンされてもよい。
【００４４】
前記第１出力スイッチング部１３４＿１は、Ｎ個のスイッチを具備することができる。前記Ｎ個のスイッチは、トランスミッション・ゲート（transmission gate）であってもよい。前記第１出力スイッチング部１３４＿１のＮ個のスイッチは、第１出力イネーブル信号ＯＥ１に応答してオン−オフされてもよい。前記第１出力スイッチング部１３４＿１のＮ個のスイッチは、一端が対応する出力バッファの出力端子と連結され、他端が対応する出力パッドに連結されてもよい。従って、前記第１出力スイッチング部１３４＿１のスイッチがターンオンされれば、前記第１バッファ・グループ１２０＿１の出力信号Ｓ１１ないしＳ１Ｎが、前記第１パッド・グループ１２０＿１の出力パッドＹ１１ないしＹ１Ｎに伝達されてもよい。
【００４５】
前記第２出力スイッチング部１３４−２ないし第Ｍ出力スイッチング部１３４＿Ｍは、それぞれＮ個のスイッチを具備することができる。前記Ｎ個のスイッチは、トランスミッション・ゲートであってもよい。前記第２出力スイッチング部１３４−２ないし第Ｍ出力スイッチング部１３４＿Ｍそれぞれのスイッチは、第２出力イネーブル信号ＯＥ２に応答してオン−オフされてもよい。前記第２出力スイッチング部１３４−２ないし第Ｍ出力スイッチング部１３４＿Ｍそれぞれのスイッチは、一端が対応する出力バッファの出力端子と連結され、他端が対応する出力パッドに連結されてもよい。従って、前記第２出力スイッチング部１３４−２ないし第Ｍ出力スイッチング部１３４＿Ｍのスイッチがターンオンされれば、前記第２バッファ・グループ１２０＿２ないし第Ｍバッファ・グループ１２０＿Ｍの出力信号Ｓ２１ないしＳＭＮが、それぞれ前記第１パッド・グループ１１０＿１の出力パッドＹ１１ないしＹ１Ｎに伝達されてもよい。
【００４６】
一方、前記第１シフト・スイッチング部１３２＿１は、Ｎ個のスイッチを具備することができる。前記Ｎ個のスイッチは、トランスミッション・ゲートであってもよい。前記第１シフト・スイッチング部１３２＿１は、ターンオンされ、前記共通ノードＮＤ＿１ないしＮＤ＿Ｎの信号を、前記第１パッド・グループ１１０＿１，Ｙ１１ないしＹ１Ｎに伝達することができる。前記第１シフト・スイッチング部１３２＿１は、前記第１バッファ・グループ１２０＿１の出力信号Ｓ１１ないしＳ１Ｎが、前記第１パッド・グループ１１０＿１，Ｙ１１ないしＹ１Ｎに伝えられる場合には使われないので、ターンオンまたはターンオフいずれの場合でもよい。従って、少なくとも前記第２シフト・スイッチング部１３２＿２ないし第Ｍシフト・スイッチング部１３２＿Ｍが順次にターンオンされる区間で、前記第１シフト・スイッチング部１３２＿１は、不要なオン−オフを反復する必要なしに、常にターンオン状態を維持することができる。前記第１シフト・スイッチング部１３２＿１は、Ｎ個のスイッチを具備することができる。前記第１シフト・スイッチング部１３２＿１のスイッチは、シフト・イネーブル信号ＳＨ＿ＥＮに応答してオン−オフされてもよい。前記第１シフト・スイッチング部１３２＿１の各スイッチは、一端が対応する出力パッドに連結され、他端が対応する共通ノードに連結されてもよい。従って、前記共通ノードＮＤ＿１ないしＮＤ＿Ｎの信号は、第１シフト・スイッチング部１３２＿１のスイッチがターンオンされれば、第１パッド・グループ１１０＿１の出力パッドＹ１１ないしＹ１Ｎに伝えられてもよい。
【００４７】
前記第２シフト・スイッチング部１３２＿２ないし第Ｍシフト・スイッチング部１３２＿Ｍは、それぞれＮ個のスイッチを具備することができる。前記Ｎ個のスイッチは、トランスミッション・ゲートであってもよい。前記第２シフト・スイッチング部１３２＿２ないし第Ｍシフト・スイッチング部１３２＿Ｍのスイッチは、それぞれ第２シフトパルスＳＰ２ないし第ＭシフトパルスＳＰＭに応答してオン−オフされてもよい。前記第２シフト・スイッチング部１３２＿２ないし第Ｍシフト・スイッチング部１３２＿Ｍのスイッチは、一端が対応する出力パッドに連結され、他端がＮ個の共通ノードＮＤ＿１ないしＮＤ＿Ｎのうち対応する共通ノードに連結されてもよい。従って、第２バッファ・グループ１２０＿２ないし第Ｍバッファ・グループ１２０＿Ｍそれぞれの出力信号Ｓ２１ないしＳＭＮは、対応するシフト・スイッチング部がターンオンされれば、Ｎ個の共通ノードＮＤ＿１ないしＮＤ＿Ｎに伝達されてもよい。前記共通ノードＮＤ＿１ないしＮＤ＿Ｎの信号は、第１シフト・スイッチング部１３２＿１のスイッチがターンオンされれば、第１パッド・グループ１１０＿１の対応する出力パッドＹ１１ないしＹ１Ｎに伝えられてもよい。
【００４８】
以上、第１パッド・グループ１１０＿１が、第２動作モードでのプローブ接続用パッドとして機能し、第１出力スイッチング部１３４＿１がまずターンオンされてから、第２シフト・スイッチング部１３２＿２ないし第Ｍシフト・スイッチング部１３２＿Ｍが順次にターンオンされることを例示しているが、必ずしもこれに限定されるものではない。前記第１出力スイッチング部１３４＿１ないし第Ｍ出力スイッチング部１３４＿Ｍ、及び前記第１シフト・スイッチング部１３２＿１ないし第Ｍシフト・スイッチング部１３２＿Ｍのオン−オフを制御する制御信号ＳＰ＿２ないしＳＰ＿Ｍ，ＯＥ１，ＯＥ２を適切に修正することによって、第２パット・グループ１１０＿２ないし第Ｍパッド・グループ１１０＿Ｍのうちいずれか一つがプローブ接続用パッドとして機能することができる。前記第１出力スイッチ１３４＿１、及び前記第２シフト・スイッチ１３２＿２ないし第Ｍシフト・スイッチ１３２＿Ｍのオン−オフ順序を変更することによって、プローブ接続用パッドでモニタリングされるバッファ・グループの出力信号の順序が変更されてもよい。
【００４９】
図３は、図１のチャネル・スイッチング部を制御するための制御信号を生成する制御部３００を示すブロック図である。
【００５０】
図１ないし図３を参照すれば、本発明の一実施形態によるマルチチャネル半導体装置１００は、複数の出力スイッチング部１３４＿１ないし１３４＿Ｍと、複数のシフト・スイッチング部１３２＿１ないし１３２＿Ｍとのオン−オフを制御するための制御部３００をさらに具備することができる。前記制御部３００は、シフト・イネーブル信号ＳＨ＿ＥＮ、シフト・スタートパルスＳＨ＿Start及び第２出力イネーブル信号ＯＥ２に応答し、第１出力イネーブル信号ＯＥ１、及び第１シフトパルスＳＰ−１ないし第ＭシフトパルスＳＰ＿Ｍを生成することができる。前記制御部３００は、ＡＮＤゲート３１０及びシフト・レジスタ３２０を具備することができる。前記シフト・レジスタ３２０は、Ｍ個の出力端子out＿１ないしout＿Ｍを具備し、シフト・イネーブル信号ＳＨ＿ＥＮ及びシフト・スタートパルスＳＨ＿Startに応答して順次にシフトされて出力される第１シフトパルスＳＰ−１ないし第ＭシフトパルスＳＰ＿Ｍを生成することができる。前記ＡＮＤゲート３１０は、第１シフトパルスＳＰ＿１と第２出力イネーブル信号ＯＥ２とを論理積し、第１出力イネーブル信号ＯＥ１を生成することができる。前記シフト・レジスタ３２０で出力される前記第１シフトパルスＳＰ−１ないし第ＭシフトパルスＳＰ＿Ｍは、一周期の間決まった幅を有するパルスである。前記第１シフトパルスＳＰ−１ないし第ＭシフトパルスＳＰ＿Ｍのパルス幅は、前記シフト・スタートパルスＳＨ＿Startの幅と同一であってもよい。従って、第１シフトパルスＳＰ−１ないし第ＭシフトパルスＳＰ＿Ｍのパルス幅は、前記シフト・スタートパルスＳＨ＿Startの幅を調節して制御することができる。図２の第２シフト・スイッチング部１３２＿２ないし第Ｍシフト・スイッチング部１３２＿Ｍを、第２動作モード（テスト・モード）で、順次にターンオンさせるために、前記シフト・レジスタ３２０で順次に出力される前記第２シフトパルスＳＰ＿２ないし第ＭシフトパルスＳＰ＿Ｍを利用して制御することができる。一方、前記第１出力スイッチング部１３４＿１のオン−オフを制御するための前記第１出力イネーブル信号ＯＥ１は、前記シフト・レジスタ３２０の出力信号のうち、第１シフトパルスＳＰ＿１と、第２出力イネーブル信号ＯＥ２とを論理積して生成することができる。これにより、前記第１出力スイッチング部１３４＿１は、前記第２出力イネーブル信号ＯＥ２がハイレベルであるとき、前記第１シフトパルスＳＰ＿１が印加されればターンオンされる。前記第１出力スイッチング部１３４＿１を前記第１シフトパルスＳＰ＿１で制御する理由は、図１の第１出力スイッチング部１３４＿１と、第２シフト・スイッチング部１３２＿２ないし第Ｍシフト・スイッチング部１３２＿Ｍとが一回に一つずつ順次にターンオンされ、第１出力スイッチング部１３４＿１がまず第一にターンオンされるように、前記マルチチャネル半導体装置１００を構成するためである。しかし、前述のように、図１の構成は、いくらでも変更が可能であるのである。
【００５１】
図４は、図１の半導体装置において、Ｎ＝６、Ｍ＝３である場合の実施形態を示すブロック図である。
【００５２】
図４を参照すれば、１８個の出力チャネルＹ１ないしＹ１８を具備するマルチチャネル半導体装置４００は、それぞれ６個の出力パッドを具備する第１パッド・グループ４１０＿１ないし第３パッド・グループ４１０＿３と、それぞれ６個の出力バッファを具備する第１バッファ・グループ４２０＿１ないし第３バッファ・グループ４２０＿３と、チャネル・スイッチング部４３０と、を具備することができる。前記チャネル・スイッチング部４３０は、第１出力スイッチング部４３４＿１ないし第３出力スイッチング部４３４＿３と、第１シフト・スイッチング部４３２＿１ないし第３シフト・スイッチング部４３２＿３と、を具備することができる。前記第１出力スイッチング部４３４＿１は、前記第１バッファ・グループ４２０＿１の６個の出力端子Ｓ１ないしＳ６を、それぞれ前記第１パッド・グループ４１０＿１の６個の出力パッドＹ１ないしＹ６と電気的に接続または切断させることができる。前記第２出力スイッチング部４３４＿２は、前記第２バッファ・グループ４２０＿２の６個の出力端子Ｓ７ないしＳ１２を、それぞれ前記第２パッド・グループ４１０＿２の６個の出力パッドＹ７ないしＹ１２と電気的に接続または切断させることができる。前記第３出力スイッチング部４３４＿３は、前記第３バッファ・グループ４２０＿３の６個の出力端子Ｓ１３ないしＳ１８を、それぞれ前記第３パッド・グループ４１０＿３の６個の出力パッドＹ１３ないしＹ１８と電気的に接続または切断させることができる。前記第１シフト・スイッチング部４３２＿１は、前記第１パッド・グループ４１０＿１の６個の出力パッドＹ１ないしＹ６を、それぞれ６個の共通ノードＮＤ＿１ないしＮＤ＿６と電気的に接続または切断させることができる。前記第２シフト・スイッチング部４３２＿２は、前記第２パッド・グループ４１０＿２の６個の出力パッドＹ７ないしＹ１２を、それぞれ前記６個の共通ノードＮＤ＿１ないしＮＤ＿６と電気的に接続または切断させることができる。前記第３シフト・スイッチング部４３２＿３は、前記第３パッド・グループ４１０＿３の６個の出力パッドＹ１３ないしＹ１８を、それぞれ前記６個の共通ノードＮＤ＿１ないしＮＤ＿６と電気的に接続または切断させることができる。前記マルチチャネル半導体装置４００の第１出力スイッチング部４３４＿１は、第１出力イネーブル信号ＯＥ１に応答してオン−オフが制御される６個のスイッチを具備することができる。第２出力スイッチング部４３４＿２及び第３出力スイッチング部４３４＿３は、それぞれ第２出力イネーブル信号ＯＥ２に応答してオン−オフが制御される６個のスイッチを具備することができる。第１シフト・スイッチング部４３２＿１は、シフト・イネーブル信号ＳＨ＿ＥＮに応答してオン−オフが制御される６個のスイッチを具備することができる。第２シフト・スイッチング部４３２＿２は、第２シフトパルスＳＰ＿２に応答してオン−オフが制御される６個のスイッチを具備することができる。第３シフト・スイッチング部４３２＿３は、第３シフトパルスＳＰ＿３に応答してオン−オフが制御される６個のスイッチを具備することができる。このような構成によって、前記マルチチャネル半導体装置４００は、第２動作モード（テスト・モード）で、前記第１パッド・グループ４１０＿１の６個の出力パッドＹ１ないしＹ６に、６個のプローブを接続することにより、１８個チャネルの出力信号Ｓ１ないしＳ１８をモニタリングすることができる。一方、前記マルチチャネル半導体装置４００は、制御部４４０をさらに具備することができる。前記制御部４４０は、図３の実施形態であってもよい。この場合、制御部４４０については、図３に係わる説明で十分に扱ったので、ここで繰り返して説明しない。
【００５３】
図５は、図４の実施形態の動作を示すタイミング図である。
【００５４】
図４を参照すれば、まずｔ１時点で、第２出力イネーブル信号ＯＥ２が活性化されてハイレベルに遷移される。前記第２出力イネーブル信号ＯＥ２は、マルチチャネル半導体装置４００に設けられた出力バッファの出力信号Ｓ１ないしＳ１８が、対応する出力パッドＹ１ないしＹ１８に伝えられるように制御する信号である。具体的には、前記第２出力イネーブル信号ＯＥ２がハイレベルであるとき、前記マルチチャネル半導体装置４００の第２バッファ・グループ４２０＿２及び第３バッファ・グループ４２０＿３の出力信号が、それぞれ第２パッド・グループ３１０＿２及び第３パッド・グループ３１０＿３に伝えられる。
【００５５】
その後、ｔ２時点で、シフト・イネーブル信号ＳＨ＿ＥＮが活性化されてハイレベルに遷移される。図４のマルチチャネル半導体装置４００は、第１バッファ・グループ４２０＿１ないし第３バッファ・グループ４２０＿３の出力信号Ｓ１ないしＳ１８を、順次に第１パッド・グループ４１０＿１を介してモニタリングすることができるように構成されている。マルチチャネル半導体装置４００は、制御部４４０を具備することができる。前記制御部４４０は、第１バッファ・グループ４２０＿１ないし第３バッファ・グループ４２０＿３の出力信号Ｓ１ないしＳ１８を順次にモニタリングするために、第１シフトパルスＳＰ＿１ないし第３シフトパルスＳＰ＿３を生成するシフト・レジスタ４４４を具備することができる。前記シフト・イネーブル信号ＳＨ＿ＥＮは、前記シフト・レジスタ４４４のシフティング動作を可能にする信号である。前記シフト・イネーブル信号ＳＨ＿ＥＮが活性化されれば、前記マルチチャネル半導体装置４００は、前記第１パッド・グループ４１０＿１を介して、前記第１バッファ・グループ４２０＿１ないし第３バッファ・グループ４２０＿３の出力信号Ｓ１ないしＳ１８を順次にモニタリングする動作を遂行することができる。また、前記シフト・イネーブル信号ＳＨ＿ＥＮは、第１シフト・スイッチング部４３２＿１のオン−オフを制御する信号である。第２動作モードで、第１バッファ・グループ４２０＿１ないし第３バッファ・グループ４２０＿３の出力信号Ｓ１ないしＳ１８が順次に第１パッド・グループ４１０＿１に伝えられる場合、前記第１シフト・スイッチング部４３２＿１は、ターンオン状態でなければならない。従って、前記シフト・レジスタ４４４のシフティング動作が可能になる時点で、前記第１シフト・スイッチング部４３２＿１をターンオン状態にすることができる。
【００５６】
その後、ｔ３時点で、シフト・スタートパルスＳＨ＿Startが前記制御部に印加される。前記制御部４４０のシフト・レジスタ４４４は、前記シフト・スタートパルスＳＨ＿Startを入力され、第１シフトパルスＳＰ＿１ないし第３シフトパルスＳＰ＿３を生成することができる。前記第１シフトパルスＳＰ＿１は、ｔ４時点で出力され、前記第２シフトパルスＳＰ＿２は、ｔ５時点で出力され、前記第３シフトパルスＳＰ＿３は、ｔ６時点で出力される。前記第１シフトパルスＳＰ＿１ないし第３シフトパルスＳＰ＿３のパルス幅ＴＡ，ＴＢ，ＴＣと、前記シフト・スタートパルスＳＨ＿Startのパルス幅ｔ４−ｔ３は、同一であってもよい。第２動作モードで、前記第１シフトパルスＳＰ＿１ないし第３シフトパルスＳＰ＿３は、それぞれ第１出力スイッチング部４３４＿１、第２シフト・スイッチング部４３２＿２及び第３シフト・スイッチング部４３２＿３のオン−オフを制御する信号である。従って、前記第１出力スイッチング部４３４＿１のターンオン・タイムＴＡ、前記第２シフト・スイッチング部４３２＿２のターンオン・タイムＴＢ、及び前記第３シフト・スイッチング部４３２＿３のターンオン・タイムＴＣは、前記シフト・スタートパルスＳＨ＿Startのパルス幅ｔ４−ｔ３によって決定される。その結果、前記シフト・スタートパルスＳＨ＿Startのパルス幅ｔ４−ｔ３を調節し、前記第１パッド・グループ４１０＿１で、第１バッファ・グループ４２０＿１ないし第３バッファ・グループ４２０＿３の出力信号Ｓ１ないしＳ１８それぞれがモニタリングされる時間を制御することができる。
【００５７】
図６は、図５のＴＡ区間での図４の実施形態の動作状態を示す図面である。
【００５８】
図５及び図６を参照すれば、ＴＡ区間は、第２出力イネーブル信号ＯＥ２がハイレベル、シフト・イネーブル信号ＳＨ＿ＥＮがハイレベル、第１出力イネーブル信号ＯＥ１がハイレベル、第２シフトパルスＳＰ＿２及び第３シフトパルスＳＰ＿３がローレベルである区間である。従って、図６に図示されているように、第１出力スイッチング部３２４＿１ないし第３出力スイッチング部６３４＿３と、第１シフト・スイッチング部６３２＿１は、ターンオン状態であり、第２シフト・スイッチング部６３２＿２及び第３シフト・スイッチング部６３２＿３は、ターンオフ状態である。ＴＡ区間では、第１パッド・グループ６１０＿１の第１出力パッドＹ１ないし第６出力パッドＹ６で、第１バッファ・グループ６２０＿１の第１出力信号Ｓ１ないし第６出力信号Ｓ６がモニタリングされる。具体的には、第１バッファ・グループ６２０＿１の第１出力信号Ｓ１ないし第６出力信号Ｓ６は、ターンオンされている第１出力スイッチング部６３４＿１を経由して、第１パッド・グループ６１０＿１の第１出力パッドＹ１ないし第６出力パッドＹ６に伝達される。前記第１シフト・スイッチング部６３２＿１の６個のスイッチがターンオン状態であるが、第２シフト・スイッチング部６３２＿２及び第３シフト・スイッチング部６３２＿３がターンオフ状態であるから、第１バッファ・グループ６２０＿１の出力信号Ｓ１ないしＳ６と、他のバッファ・グループ６２０＿２，６２０＿３の出力信号Ｓ７ないしＳ１８との衝突は生じない。
【００５９】
図７は、図５のＴＢ区間での図４の実施形態の動作状態を示す図面である。
【００６０】
図５及び図７を参照すれば、ＴＢ区間は、第２出力イネーブル信号ＯＥ２がハイレベル、シフト・イネーブル信号ＳＨ＿ＥＮがハイレベル、第１出力イネーブル信号ＯＥ１がローレベル、第２シフトパルスＳＰ＿２がハイレベル、第３シフトパルスＳＰ＿３がローレベルである区間である。従って、図７に図示されているように、第２出力スイッチング部７３４＿２及び第３出力スイッチング部７３４＿３と、第１シフト・スイッチング部７３２＿１及び第２シフト・スイッチング部７３２＿２は、ターンオン状態であり、第１出力スイッチング部７３４＿１及び第３シフト・スイッチング部７３２＿３は、ターンオフ状態である。ＴＢ区間では、第１パッド・グループ７１０＿１の第１出力パッドＹ１ないし第６出力パッドＹ６で、第２バッファ・グループ７２０＿２の第７出力信号Ｓ７ないし第１２出力信号Ｓ１２がモニタリングされる。具体的には、第２バッファ・グループ７２０＿２の第７出力信号Ｓ７ないし第１２出力信号Ｓ１２は、ターンオンされている第２出力スイッチング部７３４＿２及び第２シフト・スイッチング部７３２＿２を経由して、６個の共通ノードＮＤ＿１ないしＮＤ＿６に伝達される。前記６個の共通ノードＮＤ＿１ないしＮＤ＿６に伝達された第７出力信号Ｓ７ないし第１２出力信号Ｓ１２は、ターンオンされている第１シフト・スイッチング部７３２＿１を経て、第１パッド・グループ７１０＿１の第１出力パッドＹ１ないし第６出力パッドＹ６に伝達される。前記第１シフト・スイッチング部７３２＿１の６個のスイッチがターンオン状態であるが、第１出力スイッチング部７３４＿１及び第３シフト・スイッチング部７３２＿３がターンオフ状態であるから、第２バッファ・グループ７２０＿２の出力信号Ｓ７ないしＳ１２と、他のバッファ・グループ７２０＿１，７２０＿３の出力信号Ｓ１ないしＳ６，Ｓ１３ないしＳ１８との衝突は生じない。
【００６１】
図８は、図５のＴＣ区間での図４の実施形態の動作状態を示す図面である。
【００６２】
図５及び図８を参照すれば、ＴＣ区間は、第２出力イネーブル信号ＯＥ２がハイレベル、シフト・イネーブル信号ＳＨ＿ＥＮがハイレベル、第１出力イネーブル信号ＯＥ１がローレベル、第２シフトパルスＳＰ＿２がローレベル、第３シフトパルスＳＰ＿３がハイレベルである区間である。従って、図８に図示されているように、第２出力スイッチング部８３４＿２及び第３出力スイッチング部８３４＿３と、第１シフト・スイッチング部８３２＿１及び第３シフト・スイッチング部８３２＿３は、ターンオン状態であり、第１出力スイッチング部８３４＿１及び第２シフト・スイッチング部８３２＿２は、ターンオフ状態である。ＴＣ区間では、第１パッド・グループ８１０＿１の第１出力パッドＹ１ないし第６出力パッドＹ６で、第３バッファ・グループ８２０＿３の第１３出力信号Ｓ１３ないし第１８出力信号Ｓ１８がモニタリングされる。具体的には、第３バッファ・グループ８２０＿３の第１３出力信号Ｓ１３ないし第１８出力信号Ｓ１８は、ターンオンされている第３出力スイッチング部８３４＿３及び第３シフト・スイッチング部８３２＿３を経由して、６個の共通ノードＮＤ＿１ないしＮＤ＿６に伝達される。前記６個の共通ノードＮＤ＿１ないしＮＤ＿６に伝達された第１３出力信号Ｓ１３ないし第１８出力信号Ｓ１８は、ターンオンされている第１シフト・スイッチング部８３２＿１を、経て第１パッド・グループ８１０＿１の第１出力パッドＹ１ないし第６出力パッドＹ６に伝達される。前記第１シフト・スイッチング部８３２＿１の６個のスイッチがターンオン状態であるが、第１出力スイッチング部８３４＿１及び第２シフト・スイッチング部８３２＿２がターンオフ状態であるから、第３バッファ・グループ８２０＿３の出力信号Ｓ１３ないしＳ１８と、他のバッファ・グループ８２０＿１，８２０＿２の出力信号Ｓ１ないしＳ１２との衝突は生じない。
【００６３】
図９は、図１のマルチチャネル半導体装置において、Ｎ＝６、Ｍ＝３である場合の他の実施形態を示すブロック図である。
【００６４】
図９を参照すれば、マルチチャネル半導体装置９００は、１８個の出力チャネルＹ１ないしＹ１８を具備することができる。第１出力スイッチング部９３４＿１及び第３出力スイッチング部９３４＿３は、第２出力イネーブル信号ＯＥ２に応答してオン−オフされてもよい。第２出力スイッチング部９３４＿２は、第１出力イネーブル信号ＯＥ１に応答してオン−オフされてもよい。第１シフト・スイッチング部９３２＿１は、第２シフトパルスＳＰ＿２に応答してオン−オフされてもよい。第２シフト・スイッチング部９３２＿２は、シフト・イネーブル信号ＳＨ＿ＥＮに応答してオン−オフされてもよい。第３シフト・スイッチング部９３２＿３は、第３シフトパルスＳＰ＿３に応答してオン−オフされてもよい。このような構成によって、半導体装置９００は、図４のマルチチャネル半導体装置４００と、次のような差を有する。まず、図４を参照すれば、マルチチャネル半導体装置４００は、第２動作モードで、前記第１パッド・グループ４１０＿１の６個の出力パッドＹ１ないしＹ６に６個のプローブを接続することにより、１８個チャネルの出力信号Ｓ１ないしＳ１８をモニタリングすることができる。また、前記第１パッド・グループ４１０＿１でモニタリングされる信号の順序は、まず第一に、第１バッファ・グループ４２０＿１の出力信号Ｓ１ないしＳ６、その次に、第２バッファ・グループ４２０＿２の出力信号Ｓ７ないしＳ１２、最後に、第３バッファ・グループ４２０＿３の出力信号Ｓ１３ないしＳ１８になる。これと異なり、図９のマルチチャネル半導体装置９００は、第２動作モードで、前記第２パッド・グループ９１０＿２の６個の出力パッドＹ７ないしＹ１２に６個のプローブを接続することにより、１８個チャネルの出力信号Ｓ１ないしＳ１８をモニタリングすることができる。また、前記第２パッド・グループ９１０＿２でモニタリングされる信号の順序は、まず第一に、第２バッファ・グループ９２０＿２の出力信号Ｓ７ないしＳ１２、その次に、第１バッファ・グループ９２０＿１の出力信号Ｓ１ないしＳ７、最後に、第３バッファ・グループ９２０＿３の出力信号Ｓ１３ないしＳ１８になる。
【００６５】
図１０は、図１のマルチチャネル半導体装置１０００において、Ｎ＝６、Ｍ＝３である場合のさらに他の実施形態を示すブロック図である。
【００６６】
図１０を参照すれば、マルチチャネル半導体装置１０００は、１８個の出力チャネルＹ１ないしＹ１８を具備することができる。第１出力スイッチング部１０３４＿１及び第２出力スイッチング部１０３４＿２は、第２出力イネーブル信号ＯＥ２に応答してオン−オフされてもよい。第３出力スイッチング部１０３４＿３は、第１出力イネーブル信号ＯＥ１に応答してオン−オフされてもよい。第１シフト・スイッチング部１０３２＿１は、第２シフトパルスＳＰ＿２に応答してオン−オフされてもよい。第２シフト・スイッチング部１０３２＿２は、第３シフトパルスＳＰ＿３に応答してオン−オフされてもよい。第３シフト・スイッチング部１０３２＿３は、シフト・イネーブル信号ＳＨ＿ＥＮに応答してオン−オフされてもよい。このような構成によって、マルチチャネル半導体装置１０００は、図４のマルチチャネル半導体装置４００と次のような差を有することができる。まず、図４を参照すれば、マルチチャネル半導体装置４００は、第２動作モードで、前記第１パッド・グループ４１０＿１の６個の出力パッドＹ１ないしＹ６に６個のプローブを接続することにより、１８個チャネルの出力信号Ｓ１ないしＳ１８をモニタリングすることができる。また、前記第１パッド・グループ４１０＿１でモニタリングされる信号の順序は、まず第一に、第１バッファ・グループ４２０＿１の出力信号Ｓ１ないしＳ６、その次に、第２バッファ・グループ４２０＿２の出力信号Ｓ７ないしＳ１２、最後に、第３バッファ・グループ４２０＿３の出力信号Ｓ１３ないしＳ１８になる。これと異なり、図１０のマルチチャネル半導体装置１０００は、第２動作モードで、前記第３パッド・グループ１０１０＿３の６個の出力パッドＹ１３ないしＹ１８に６個のプローブを接続することにより、１８個チャネルの出力信号Ｓ１ないしＳ１８をモニタリングすることができる。また、前記第３パッド・グループ１０１０＿３でモニタリングされる信号の順序は、まず第一に、第３バッファ・グループ１０２０＿３の出力信号Ｓ１３ないしＳ１８、その次に、第１バッファ・グループ１０２０＿１の出力信号Ｓ１ないしＳ６、最後に、第２バッファ・グループ１０２０＿２の出力信号Ｓ７ないしＳ１２になる。
【００６７】
以上で述べたように、図１のマルチチャネル半導体装置１００は、図９及び図１０に図示されたように、制御信号を変更することによって、１８個の出力信号をモニタリングすることができるパッド・グループ、及びモニタリングされるバッファ・グループの順序をいくらでも調整することができるのである。
【００６８】
図１１は、本発明の一実施形態によるマルチチャネル半導体装置を１１００示すブロック図である。
【００６９】
図１１を参照すれば、マルチチャネル半導体装置１１００は、複数の出力チャネルＣＨ＿１１ないしＣＨ＿ＭＮを具備することができる。前記Ｍは、２以上の自然数であり、前記Ｎは、自然数である。前記複数の出力チャネルＣＨ＿１１ないしＣＨ＿ＭＮは、Ｍ個のグループＧ＿１ないしＧ＿Ｍに分けられる。前記各グループは、Ｎ個の出力チャネルを具備することができる。前記各出力チャネルは、出力パッド、出力バッファ、第１スイッチ及び第２スイッチを具備することができる。
【００７０】
前記第１スイッチＳＷ１は、出力バッファＳ１Ｎと出力パッドＹ１Ｎとの連結を制御することができる。従って、前記各出力チャネルＣＨ＿ＭＮの第１スイッチＳＷ１がターンオンされれば、出力バッファＳＭＮの出力信号が出力パッドＹＭＮに伝えられる。第１グループＧ＿１のＮ個の第１スイッチＳＷ１は、第１出力イネーブル信号ＯＥ１に応答して動作しうる。一方、第２ないし第ＭグループＧ＿２ないしＧ＿Ｍの第１スイッチＳＷ１は、第２出力イネーブル信号ＯＥ２に応答して動作しうる。
【００７１】
前記第２スイッチＳＷ２は、出力パッドＹ１Ｎと共通ノードＮＤ＿Ｎとの連結を制御することができる。具体的には、前記第２グループＧ＿２ないし第ＭグループＧ＿Ｍの前記各出力チャネルＣＨ＿ＭＮの第２スイッチＳＷ２がターンオンされれば、出力パッドに伝達される出力信号ＳＭＮを、共通ノードＮＤ＿Ｎに伝達することができる。第２グループＧ＿２ないし第ＭグループＧ＿Ｍの第２スイッチＳＷ２は、それぞれ順次に提供される第２シフトパルスＳＰ＿２ないし第ＭシフトパルスＳＰ＿Ｍに応答して選択的に動作しうる。前記第１グループＧ＿１の前記各出力チャネルＣＨ＿１Ｎの第２スイッチＳＷ２がターンオンされれば、共通ノードＮＤ＿Ｎの信号が出力パッドＹ１Ｎに伝えられる。第１グループＧ＿１のＮ個の第２スイッチＳＷ２は、シフト・イネーブル信号ＳＨ＿ＥＮに応答して動作しうる。
【００７２】
マルチチャネル半導体装置１１００の前記各グループＧ＿１ないしＧ＿Ｍの第１スイッチＳＷ１及び第２スイッチらＷ２は、それぞれ図２の出力スイッチング部１３２＿１ないし１３２＿Ｍ及びシフト・スイッチング部１３４＿１ないし１３４＿Ｍに対応する。前記マルチチャネル半導体装置１１００の構成及び動作は、実質的に図１のマルチチャネル半導体装置１００と同一であるので、図１に係わる説明部分を参照することとする。
【００７３】
図１２は、本発明の一実施形態によるディスプレイパネル駆動用半導体装置１２００を示すブロック図である。
【００７４】
図１２を参照すれば、本発明の一実施形態によるディスプレイパネル駆動用半導体装置１２００またはディスプレイ・ドライバＩＣ １２００は、映像信号生成部１２１０及び映像信号出力部１２２０を具備することができる。映像信号生成部１２１０は、シフト・レジスタ部１２１２、データ・ラッチ部１２１４、レベル変換部１２１６及びデジタル−アナログ変換部１２１８を具備することができる。シフト・レジスタ部１２１２は、デジタル画像データＤＡＴＡが順次にデータ・ラッチ部１２１４に保存される動作のタイミングを制御することができる。シフト・レジスタ部１２１２は、クロック信号ＨＣＬＫに応答して受信された水平開始信号ＤＩＯをシフトさせて出力することができる。タイミング・コントローラ（図示せず）から伝えられるデジタル画像データＤＡＴＡは、シフトされた水平開始信号に応答してデータ・ラッチ部１２１４に保存される。データ・ラッチ部１２１４は、シフトされた水平開始信号ＤＩＯに応答してデジタル画像データＤＡＴＡを受信して保存し、１個の水平ラインに該当する画像データの保存が完了すれば、出力制御信号ＣＬＫ１に応答して保存された画像データＤＡＴＡを出力することができる。レベル変換部１２１６は、データ・ラッチ部１２１４から出力されるデジタル画像データの電圧レベルを、比較的高い電圧レベルに変換することができる。デジタル−アナログ変換部１２１８は、電圧レベルが変換されたデジタル画像データを受信し、出力制御信号ＣＬＫ１に応答し、前記電圧レベルが変換されたデジタル画像データに相応するアナログ階調信号を出力することができる。
【００７５】
映像信号出力部１２２０は、出力バッファ部１２２２、チャネル・スイッチング部１２２４及び出力パッド部１２２６を具備することができる。出力バッファ部１２２２は、デジタル−アナログ変換部１２１８から出力されたアナログ階調信号をバッファリングして出力することができる。出力パッド部１２２６は、前記ディスプレイ・ドライバＩＣ １２００の外部で、ディスプレイパネル（図示せず）のデータラインに接続されるインターフェースであり、前記出力パッド部１２２６は、少なくとも１つの出力パッドを具備する複数のパッド・グループを含む。出力バッファ部１２２２でバッファリングされて出力されるアナログ階調信号は、対応する出力パッド部１２２６を経て、ディスプレイパネル（図示せず）の各データラインに印加されてもよい。
【００７６】
前記チャネル・スイッチング部１２２４は、出力バッファ部１２２２と出力パッド部１２２６との電気的連結関係を制御する。前記映像信号出力部１２２０は、前記チャネル・スイッチング部１２２４を制御する制御部１２３０をさらに具備することができる。前記制御部１２３０は、第２出力イネーブル信号ＯＥ２、シフト・イネーブル信号ＳＨ＿ＥＮ、びシフト・スタートパルスＳＨ＿Startに応答し、前記チャネル・スイッチング部１２２４を制御するための制御信号、すなわち、第１出力イネーブル信号ＯＥ１、及び第２シフトパルスＳＰ＿２ないし第ＭシフトパルスＳＰ＿Ｍを生成することができる。前記映像信号出力部１２２０は、図１に図示された実施形態であってもよい。この場合、映像信号出力部１２２０については、図１に係わる説明で十分に扱ったので、繰り返して反復説明しない。
【００７７】
図１３は、本発明の一実施形態によるディスプレイ装置１３００を示すブロック図である。
【００７８】
図１３を参照すれば、本発明の一実施形態によるディスプレイ装置１３００は、ディスプレイパネル１３１０、データ駆動部１３２０、スキャン駆動部１３３０、タイミング・コントローラ１３４０を具備することができる。前記データ駆動部１３２０は、複数のデータ・ドライバＩＣ １３２０＿１ないし１３２０＿ｎを含む。前記スキャン駆動部１３３０は、複数のスキャン・ドライバＩＣ １３３０＿１ないし１３３０＿ｍを含む。前記ディスプレイパネル１３１０は、ＬＣＤ（liquid crystal display）、ＰＤＰ（plasma display panel）、ＦＥＤ（field emission display）、ＯＬＥＤ（organic light emitting diode）などのパネルであってもよい。以下、前記ディスプレイパネル１３１０が液晶パネル、すなわち、ＬＣＤである場合を例にとって説明する。
【００７９】
ディスプレイパネル１３００は、一方向に延長された複数のスキャンラインＳＬ、及びこれと直交する方向に延長した複数のデータラインＤＬを含み、スキャンラインＳＬとデータラインＤＬとの交差領域に設けられた画素領域１３１２を含む。画素領域１３１２には、薄膜トランジスタＴＦＴ、液晶キャパシタＣＬＣ及びストレージ・キャパシタＣｓｔなどを含む画素が設けられる。これを介して、薄膜トランジスタＴＦＴは、スキャンラインＳＬに印加される駆動信号によって動作し、データラインＤＬを介して供給されるアナログ階調信号を画素電極に供給し、液晶キャパシタＣＬＣ両端の電界を変化させることができる。これを介して、液晶（図示せず）の配列を変化させ、バックライト（図示せず）から供給された光の透過率を調整することができる。
【００８０】
タイミング・コントローラ１３４０は、外部のグラフィック制御器（図示せず）から入力される画像信号、すなわち、画素データ及び制御信号、例えば、水平同期信号Ｈｓｙｎｃ、垂直同期信号Ｖｓｙｎｃ、メインクロックＣＬＫ、データイネーブル信号ＤＥなどを提供される。また、タイミング・コントローラ１３４０は、画素データＲ，Ｇ，Ｂをディスプレイパネル１３１０の動作条件に合うように処理し、スキャン駆動部１３３０の制御信号、及びデータ駆動部１３２０の制御信号を生成し、それぞれスキャン駆動部１３３０及びデータ駆動部１３２０に伝送することができる。ここで、スキャン駆動部１３３０の制御信号は、ゲート・ターンオン電圧Ｖｏｎの出力開始を指示する垂直開始信号ＳＴＶ、ゲート・クロック信号ＧＣＬＫ及びゲート・ターンオン電圧Ｖｏｎの持続時間を制御する出力イネーブル信号ＯＥを含む。また、データ駆動部１３２０の制御信号は、画素データの伝送開始を知らせる水平開始信号ＤＩＯ、当該データラインＤＬにアナログ階調信号を印加せよという出力制御信号ＣＬＫ１、及びクロック信号ＨＣＬＫを含む。
【００８１】
駆動電圧生成部（図示せず）は、外部電源装置から入力される外部電源を利用し、ディスプレイパネル１３１０の駆動に必要な多様な駆動電圧を生成する。駆動電圧生成部（図示せず）は、外部から第１電源を入力され、データ駆動部１３２０に提供される第２電源電圧、スキャン駆動部１３３０に提供されるゲート・ターンオン電圧Ｇｏｎ、及びゲートターンオフ電圧Ｇｏｆｆ、ディスプレイパネル１３１０に提供される共通電圧Ｖｃｏｍなどを生成することができる。
【００８２】
スキャン駆動部１３３０の各スキャン・ドライバＩＣ １３３０＿１ないし１３３０＿ｍは、タイミング・コントローラ１３４０からの垂直スタート信号ＳＴＶ、ゲート・クロック信号ＧＣＬＫ及び出力イネーブル信号ＯＥに応答し、駆動電圧生成部（図示せず）のゲートオン／オフ電圧ＧＯＮ／ＧＯＦＦを、対応するスキャンライン１３６０，ＳＬに印加することができる。これを介して、データ駆動部１３２０のデータ・ドライバ１３２０＿１ないし１３２０＿ｎから出力されるアナログ階調電圧が当該画素に印加されるように、当該薄膜トランジスタＴＦＴをターンオンさせることができる。前記スキャン・ドライバ１３３０＿１ないし１３３０＿ｎのうち少なくとも一つは、図１に図示された実施形態を含む。
【００８３】
データ駆動部１３２０内の各データ・ドライバＩＣ １３２０＿１ないし１３２０＿ｎは、タイミング・コントローラ１３４０からのデータ駆動部用制御信号に応答し、デジタル画像データに相応するアナログ階調信号を生成し、ディスプレイパネルのデータライン１３５０，ＤＬに印加することができる。前記データ・ドライバ１３２０＿１ないし１３２０＿ｎのうち少なくとも一つは、図１２に図示された実施形態であってもよい。
【００８４】
以上のように、図面と明細書とで最適な実施形態を開示した。ここで、特定の用語が使われたが、それらは単に本発明について説明するための目的で使われたものであり、意味限定や特許請求の範囲に記載された本発明の範囲を制限するために使われたものではない。従って、本技術分野の当業者であるならば、それらから多様な変形及び均等な他実施形態が可能であるという点を理解するであろう。よって、本発明の真の技術的保護範囲は、特許請求の範囲の技術的思想によって決まるものである。
【産業上の利用可能性】
【００８５】
本発明のマルチチャネル半導体装置及びそれを具備したディスプレイ装置は、ディスプレイ関連技術分野に効果的に適用可能である。
【符号の説明】
【００８６】
１００，４００，９００，１０００，１１００    マルチチャネル半導体装置
１１０＿１ないし１１０＿Ｍ    パッド・グループ
１２０＿１ないし１２０＿Ｍ    バッファ・グループ
１３０，４３０    チャネル・スッチング部
１３２＿１ないし１３２＿Ｍ    シフト・スイッチング部
１３４＿１ないし１３４＿Ｍ    出力スイッチング部
３００，４４０    制御部
３１０    ＡＮＤゲート
３２０    シフト・レジスタ
４１０＿１ないし４１０＿３    第１パッド・グループないし第３パッド・グループ
４２０＿１ないし４２０＿３    第１バッファ・グループないし第３バッファ・グループ
４３２＿１ないし４３２＿３    第１シフト・スイッチング部ないし第３シフト・スイッチング部
４３２＿１ないし４３４＿３    第１出力スイッチング部ないし第３出力スイッチング部
４４４    シフト・レジスタ
１２００    ディスプレイパネル駆動用半導体装置
１２１０    ディスプレイ・ドライバ
１２１２    シフト・レジスタ部
１２１４    データ・ラッチ部
１２１６    レベル変換部
１２１８    デジタル−アナログ変換部
１２２０    映像信号出力部
１２２２    出力バッファ部
１２２４    チャネル・スイッチング部
１２２６    出力パッド部
１２２８    制御部
１３００    ディスプレイ装置
１３１０    ディスプレイパネル
１３１２    画素領域
１３２０    データ駆動部
１３２０＿１ないし１３２０＿ｎ    データ・ドライバＩＣ
１３３０＿１ないし１３３０＿ｎ    スキャン・ドライバＩＣ
１３３０    スキャン駆動部
１３４０    タイミング・コントローラ
１３５０    データライン
１３６０    スキャンライン
【図１】
2012112960.tif 000003
【図２】
2012112960.tif 000004
【図３】
2012112960.tif 000005
【図４】
2012112960.tif 000006
【図５】
2012112960.tif 000007
【図６】
2012112960.tif 000008
【図７】
2012112960.tif 000009
【図８】
2012112960.tif 000010
【図９】
2012112960.tif 000011
【図１０】
2012112960.tif 000012
【図１１】
2012112960.tif 000013
【図１２】
2012112960.tif 000014
【図１３】
2012112960.tif 000015